(57)【要約】【課題】表示画像の切り替え操作が高速にでき、且つ、消費電力を抑えることができる画像表示装置を提供すること。【解決手段】バッテリ５の残量が、５０％以上有る場合に（Ｓ６：ＹＥＳ）、前回の操作スイッチ７の操作から経過時間が２秒以内の場合には（Ｓ７：ＹＥＳ）、ＳＤＲＡＭ９での画像保存時間は５秒に設定し（Ｓ８）、前回の操作スイッチ７の操作から経過時間が２秒より長い場合には（Ｓ７：ＮＯ）、ＳＤＲＡＭ９での画像保存時間は１秒に設定する（Ｓ１０）。さらに、バッテリ５の残量が、５０％未満、１０％以上の場合には（Ｓ６：ＮＯ、Ｓ９：ＹＥＳ）、ＳＤＲＡＭ９での画像保存時間は１秒に設定する（Ｓ１０）。また、バッテリ５の残量が、１０％未満の場合には（Ｓ６：ＮＯ、Ｓ９：ＮＯ）、ＳＤＲＡＭ９での画像保存時間は０秒（なし）に設定する（Ｓ１１）。【選択図】図７
2008083655.tif 000002
【特許請求の範囲】
【請求項１】
電力の供給の停止後も画像の表示状態が維持される表示パネルを備えた画像表示装置であって、
前記画像表示装置の主制御を司るマイコンと、
前記マイコンにより実行されるプログラムを記憶した第一不揮発メモリと、
前記表示パネルに表示される画像データを記憶した第二不揮発メモリと、
前記第二不揮発メモリから読み出した画像データを前記表示パネルに現在表示されている画像の次に表示するために記憶する揮発メモリと、
前記表示パネルを制御するパネルコントローラと、
電力を供給する電源と、
当該電源から前記第一不揮発メモリ、前記第二不揮発メモリ、前記揮発メモリ及び前記パネルコントローラへの電力の供給を制御するスイッチ手段と、
前記表示パネルで表示される画像データの書き換え指示を行う指示手段と
を備え、
前記パネルコントローラによる前記表示パネルの書き換えの終了から所定時間経過後に、前記マイコンは前記スイッチ手段を制御して、少なくとも前記揮発メモリへの電力の供給を停止することを特徴とする画像表示装置。
【請求項２】
前記電源は、電池であり、
当該電池の電圧を検出する電圧検出手段と、
前記指示手段による前回の画像データの書き換え指示から今回の画像データの書き換え指示までの時間間隔を求める経過時間取得手段とを備え、
前記マイコンは、前記電圧検出手段が検出した電池の電圧と、前記経過時間取得手段が取得した時間間隔とに基づいて、前記所定時間を変更し、前記スイッチ手段を制御して、少なくとも前記揮発メモリへの電力の供給を停止することを特徴とする請求項１に記載の画像表示装置。
【請求項３】
前記画像表示装置の消費する電力の消費を通常の状態とする普通モードと、前記画像表示装置の消費する電力を前記通常の状態よりも節約する省エネモードとの何れかに設定するモード設定手段を備え、
前記マイコンは、前記モード設定手段で設定されたモードに基づいて、前記所定時間を変更し、前記スイッチ手段を制御して、少なくとも前記揮発メモリへの電力の供給を停止することを特徴とする請求項１に記載の画像表示装置。
【請求項４】
前記画像データは、前記表示パネルに一度に表示される一画像毎に構成されており、
前記電源は、電池であり、
当該電池の電圧を検出する電圧検出手段と、
前記指示手段による前回の画像データの書き換え指示から今回の画像データの書き換え指示までの時間間隔を求める経過時間取得手段とを備え、
前記マイコンは、前記電圧検出手段が検出した電池の電圧と、前記経過時間取得手段が取得した時間間隔とに基づいて、前記第二不揮発メモリから読み出し前記揮発メモリに記憶する画像データの数を決定することを特徴とする請求項１乃至３の何れかに記載の画像表示装置。
【請求項５】
前記画像表示装置の消費する電力の消費を通常の状態とする普通モードと、前記画像表示装置の消費する電力を前記通常の状態よりも節約する省エネモードとの何れかに設定するモード設定手段を備え、
前記画像データは、前記表示パネルに一度に表示される一画像毎に構成されており、
前記マイコンは、前記モード設定手段で設定されたモードに基づいて、前記第二不揮発メモリから読み出し前記揮発メモリに記憶する画像データの数を決定することを特徴とする請求項１乃至３の何れかに記載の画像表示装置。
【請求項６】
前記第二不揮発メモリは、カード型の着脱可能なメモリであることを特徴とする請求項１乃至５の何れかに記載の画像表示装置。
【発明の詳細な説明】
【技術分野】
【０００１】
本発明は画像表示装置に関し、詳細には、電源を切っても画像の表示状態が維持される画像表示装置の電源の制御に関する。
【背景技術】
【０００２】
従来、ＬＣＤ等の表示パネルを備え、画像生成回路で生成された画像データを画像メモリに記憶し、当該画像メモリに記憶された画像データを表示メモリに転送して、その表示メモリに記憶された画像データを表示パネルに表示する画像表示装置が知られている（例えば、特許文献１参照。）。この画像表示装置では、長時間表示内容の更新が行われないときには、電力消費を低減するために、画像生成回路及び画像メモリの電源が切断されるようになっている。
【０００３】
また、電気泳動現象を利用して画像を表示する画像表示装置が提案されている。この画像表示装置では、一方が透明な表示基板と、それに対向配置される背面基板と、その周囲に設けたギャップスペーサーにより密閉空間を形成し、その密閉空間に着色された帯電粒子が分散された分散媒が充填されて表示パネルが形成されている。例えば、液体分散媒に分散されている帯電粒子が、黒色の帯電粒子と、それとは異なる帯電極性である白色の帯電粒子によって構成されている場合、表示パネルに電界を発生させることで黒色の帯電粒子を表示基板側に移動させると、その表示部では黒色を表示させることができる。また、逆向きの電界を発生させることで白色を表示させることができ、この組み合わせによって所望の画像が得られるようになっている（例えば、特許文献２参照。）。
【特許文献１】特開平５−２７３９５０号公報
【特許文献２】特開２００５−３４５５７３号公報
【発明の開示】
【発明が解決しようとする課題】
【０００４】
しかしながら、特許文献１に記載の画像表示装置では、全ての回路の電源を切断すると、表示装置の表示が消えてしまうため、表示装置の表示を維持する為には、少なくとも表示メモリ及び表示装置の電源は切ることができず、電力が消費されるという問題点があった。また、特許文献２に記載の電気泳動現象を利用して画像を表示する画像表示装置では、電源を切っても画像の表示状態が維持されるので表示メモリや表示パネルの電源を切ることができるが、メモリカード等から表示メモリに画像データを読み込んで、表示している場合、電源を切ってしまうと、表示パネルに表示されている画像データの頁捲り等の操作が行われたときに、電源を入れて次の頁の画像を再度表示メモリに読み込んでから頁を切り替える必要があるため、表示パネルに表示されている画像データの切り替えに時間がかかるという問題点があった。
【０００５】
本発明は上記問題を解決するためになされたものであり、表示画像の切り替え操作が高速にでき、且つ、消費電力を抑えることができる画像表示装置を提供することを目的とする。
【課題を解決するための手段】
【０００６】
上記目的を達成するために、請求項１に記載の画像表示装置は、電力の供給の停止後も画像の表示状態が維持される表示パネルを備えた画像表示装置であって、前記画像表示装置の主制御を司るマイコンと、前記マイコンにより実行されるプログラムを記憶した第一不揮発メモリと、前記表示パネルに表示される画像データを記憶した第二不揮発メモリと、前記第二不揮発メモリから読み出した画像データを前記表示パネルに現在表示されている画像の次に表示するために記憶する揮発メモリと、前記表示パネルを制御するパネルコントローラと、電力を供給する電源と、当該電源から前記第一不揮発メモリ、前記第二不揮発メモリ、前記揮発メモリ及び前記パネルコントローラへの電力の供給を制御するスイッチ手段と、前記表示パネルで表示される画像データの書き換え指示を行う指示手段とを備え、前記パネルコントローラによる前記表示パネルの書き換えの終了から所定時間経過後に、前記マイコンは前記スイッチ手段を制御して、少なくとも前記揮発メモリへの電力の供給を停止することを特徴とする。
【０００７】
また、請求項２に記載の画像表示装置は、請求項１に記載の発明の構成に加え、前記電源は、電池であり、当該電池の電圧を検出する電圧検出手段と、前記指示手段による前回の画像データの書き換え指示から今回の画像データの書き換え指示までの時間間隔を求める経過時間取得手段とを備え、前記マイコンは、前記電圧検出手段が検出した電池の電圧と、前記経過時間取得手段が取得した時間間隔とに基づいて、前記所定時間を変更し、前記スイッチ手段を制御して、少なくとも前記揮発メモリへの電力の供給を停止することを特徴とする。
【０００８】
また、請求項３に記載の画像表示装置は、請求項１に記載の発明の構成に加え、前記画像表示装置の消費する電力の消費を通常の状態とする普通モードと、前記画像表示装置の消費する電力を前記通常の状態よりも節約する省エネモードとの何れかに設定するモード設定手段を備え、前記マイコンは、前記モード設定手段で設定されたモードに基づいて、前記所定時間を変更し、前記スイッチ手段を制御して、少なくとも前記揮発メモリへの電力の供給を停止することを特徴とする。
【０００９】
また、請求項４に記載の画像表示装置は、請求項１乃至３の何れかに記載の発明の構成に加え、前記画像データは、前記表示パネルに一度に表示される一画像毎に構成されており、前記電源は、電池であり、当該電池の電圧を検出する電圧検出手段と、前記指示手段による前回の画像データの書き換え指示から今回の画像データの書き換え指示までの時間間隔を求める経過時間取得手段とを備え、前記マイコンは、前記電圧検出手段が検出した電池の電圧と、前記経過時間取得手段が取得した時間間隔とに基づいて、前記第二不揮発メモリから読み出し前記揮発メモリに記憶する画像データの数を決定することを特徴とする。
【００１０】
また、請求項５に記載の画像表示装置は、請求項１乃至３の何れかに記載の発明の構成に加え、前記画像表示装置の消費する電力の消費を通常の状態とする普通モードと、前記画像表示装置の消費する電力を前記通常の状態よりも節約する省エネモードとの何れかに設定するモード設定手段を備え、前記画像データは、前記表示パネルに一度に表示される一画像毎に構成されており、前記マイコンは、前記モード設定手段で設定されたモードに基づいて、前記第二不揮発メモリから読み出し前記揮発メモリに記憶する画像データの数を決定することを特徴とする。
【００１１】
また、請求項６に記載の画像表示装置は、請求項１乃至５の何れかに記載の発明の構成に加え、前記第二不揮発メモリは、カード型の着脱可能なメモリであることを特徴とする。
【発明の効果】
【００１２】
請求項１に記載の画像表示装置は、画像データの書き換え終了から所定時間内は、表示画像の切り替え操作が高速にでき、且つ、画像データの書き換え終了から所定時間経過後に、マイコンはスイッチ手段を制御して、少なくとも揮発メモリへの電力の供給を停止するので、画像の書き換えに支障を与えずに電力消費を低減できる。
【００１３】
また、請求項２に記載の画像表示装置は、請求項１に記載の発明の効果に加え、マイコンは、電圧検出手段が検出した電池の電圧と、経過時間取得手段が取得した時間間隔とに基づいて、所定時間を変更し、スイッチ手段を制御して、少なくとも前記揮発メモリへの電力の供給を停止するので、電池の電圧と、前回の画像データの書き換え指示から今回の画像データの書き換え指示までの経過時間とに基づいて、電力消費を低減できる。
【００１４】
また、請求項３に記載の画像表示装置は、請求項１に記載の発明の効果に加え、マイコンは、モード設定手段で設定されたモードに基づいて、所定時間を変更し、スイッチ手段を制御して、少なくとも揮発メモリへの電力の供給を停止するので、設定されたモードに基づいて、電力消費を低減できる。
【００１５】
また、請求項４に記載の画像表示装置は、請求項１乃至３の何れかに記載の発明の効果に加え、マイコンは、電圧検出手段が検出した電池の電圧と、経過時間取得手段が取得した時間間隔とに基づいて、第二不揮発メモリから読み出し揮発メモリに記憶する画像データの数を決定するので、電池の電圧と、前回の画像データの書き換え指示から今回の画像データの書き換え指示までの経過時間とに基づいて、読み出す画像データの数を調整して、電力消費を低減できる。
【００１６】
また、請求項５に記載の画像表示装置は、請求項１乃至３の何れかに記載の発明の効果に加え、画像データは、表示パネルに一度に表示される一画像毎に構成されており、マイコンは、モード設定手段で設定されたモードに基づいて、第二不揮発メモリから読み出し揮発メモリに記憶する画像データの数を決定するので、設定されたモードに基づいて、電力消費を低減できる。
【００１７】
また、請求項６に記載の画像表示装置は、請求項１乃至５の何れかに記載の発明の効果に加え、第二不揮発メモリは、カード型の着脱可能なメモリであるので、当該カード型の交換により、各種の画像データを画像表示装置に表示できる。
【発明を実施するための最良の形態】
【００１８】
以下、本発明に係る画像表示装置の第一実施の形態である画像表示装置１について図面を参照して説明する。図１は、本発明の一実施の形態の画像表示装置１の電気的構成を示すブロック図である。本実施の形態の画像表示装置１は、一例としては、携帯可能な画像表示装置であり、図１に示すように、表示パネル１２を備えている。この表示パネル１２は、電気泳動現象を利用して画像を表示する表示パネルであり、一方が透明な表示基板と、それに所定間隔を空けて対向配置される背面基板と、その周囲を覆うギャップスペーサーとから構成されている。そして、表示基板と背面基板とギャップスペーサーとから形成される密閉空間に、着色された帯電粒子が分散された分散媒が充填されている。この表示パネル１２では、一例として、液体分散媒に分散されている帯電粒子が、黒色の帯電粒子と、それとは異なる帯電極性である白色の帯電粒子によって構成されている場合、表示パネルに電界を発生させることで黒色の帯電粒子を表示基板側に移動させて、黒色で画像や文字を表示させることができ、逆向きの電界を発生させることで白色で画像や文字を表示させることができる。また、この表示パネル１２では、表示パネル１２への電圧の印加を停止しても、その表示状態が液体分散媒中の帯電粒子により維持されるようになっている。
【００１９】
また、画像表示装置１には、その主制御を司るマイコン２が設けられている。このマイコン２は、内部にタイマ３や、Ａ／Ｄコンバータ４や、内蔵メモリ２０等を備えた１チップマイコンである。さらに、マイコン２には、操作スイッチ７が接続され、画像表示の指示や、表示されている画像データの頁捲りの指示等の入力や、画像表示装置１の電力消費に関して、普通モードとするか、省エネモードとするかの設定等が可能となっている。また、マイコン２には、フラッシュメモリ８と、ＳＤＲＡＭ９と、カード型ＲＯＭ１０と、前記表示パネル１２を制御するパネルコントローラ１１とが接続されている。尚、マイコン２の動作モードとしては、通常モード、低消費モード１、低消費モード２、低消費モード３の４つがある。
【００２０】
さらに、フラッシュメモリ８には、画像表示装置１の制御プログラムを記憶するプログラムが格納されている。また、ＳＤＲＡＭ９には、マイコン２のワークエリア及び表示パネル１２で表示される画像データの格納エリアが設けられている。さらに、カード型ＲＯＭ１０は、着脱可能であり、ＳＤＲＡＭ９に転送して表示パネル１２に表示される画像の生データが記憶されている。さらに、パネルコントローラ１１は、ゲートアレイ等から構成され、表示パネル１２の制御を行うようになっている。
【００２１】
尚、本実施の形態では、フラッシュメモリ８は、「第一不揮発メモリ」に相当し、ＳＤＲＡＭ９は、「揮発メモリ」に相当し、カード型ＲＯＭ１０は、「第二不揮発メモリ」に相当し、操作スイッチ７が「指示手段」に相当する。
【００２２】
また、画像表示装置１には、「電源」であるバッテリ５が設けられ、当該バッテリ５には、電圧を変換するＤＣ−ＤＣコンバータ６が接続され、当該ＤＣ−ＤＣコンバータ６により、一例として５Ｖに変圧された電圧の電源がマイコン２に常時供給されるようになっている。また、ＤＣ−ＤＣコンバータ６により、一例として５Ｖに変圧された電圧の電源は、マイコン２により制御されるスイッチ１４，１５，１６，１７，１８により、選択的にフラッシュメモリ８、ＳＤＲＡＭ９、カード型ＲＯＭ１０、パネルコントローラ１１及び表示パネル１２に供給されるようになっている。尚、本実施の形態では、ＤＣ−ＤＣコンバータ６からマイコン２に供給される電源を電源Ａ、フラッシュメモリ８に供給される電源を電源Ｂ、ＳＤＲＡＭ９に供給される電源を電源Ｃ、カード型ＲＯＭ１０に供給される電源を電源Ｄ、パネルコントローラ１１に供給される電源を電源Ｅ、表示パネル１２に供給される電源を電源Ｆとする。尚、スイッチ１４，１５，１６，１７，１８が、「スイッチ手段」に相当する。
【００２３】
さらに、パネルコントローラ１１と表示パネル１２と間に、パネル駆動電源生成部１３が設けられ、当該パネル駆動電源生成部１３はバッテリ５に接続され、バッテリ５からの電源を表示パネル１２の表示基板と背面基板間に印加する例えば、＋２０Ｖ〜−２０Ｖの駆動電源として供給するようになっている。
【００２４】
次に、第一実施例として、図２に示す画像表示装置１のパワーマネージメントのシーケンス図に基づいて、画像表示装置１で、ＳＤＲＡＭ９に１画像が保存される場合の上記各電源Ａ〜電源Ｆの制御について説明する。図２に示すように、まず、Ｔ０タイミングで、バッテリ５がＯＮされると、マイコン２の電源ＡがＯＮとなり、同時に、マイコン２の制御により、フラッシュメモリ８の電源Ｂ及びＳＤＲＡＭ９の電源ＣがＯＮとなる。従って、マイコン２は、フラッシュメモリ８に記憶された制御プログラムにアクセス可能となり、更に、ＳＤＲＡＭ９にもアクセス可能となるので、マイコンとして動作可能となる。
【００２５】
次いで、Ｔ１タイミングで、操作スイッチ７が操作されて、表示パネル１２に表示される画像の書き換え指示がマイコン２に入力されると、カード型ＲＯＭ１０の電源ＤがＯＮとなり、カード型ＲＯＭ１０から画像データが読み出され、ＳＤＲＡＭ９に転送される。そして、Ｔ２タイミングで、カード型ＲＯＭ１０の電源ＤをＯＦＦにし、パネルコントローラ１１の電源Ｅ及び表示パネル１２の電源ＦをＯＮにして、表示パネル１２を駆動して、ＳＤＲＡＭ９に転送された画像データにより、表示パネル１２の表示を書き換える。このＴ０タイミングからＴ２タイミングまでの制御をマイコン２の「通常モード」という。
【００２６】
次いで、Ｔ３タイミングで、フラッシュメモリ８の電源Ｂ、ＳＤＲＡＭ９の電源Ｃ、パネルコントローラ１１の電源Ｅ、表示パネル１２の電源ＦをＯＦＦにする。即ち、マイコン２の電源Ａ以外を全てＯＦＦにする。このＴ２タイミングからＴ３タイミングまでの制御をマイコン２の「低消費モード１」という。
【００２７】
次いで、Ｔ３タイミングからＴ４タイミングまでは、マイコン２の電源Ａ以外のフラッシュメモリ８の電源Ｂ、ＳＤＲＡＭ９の電源Ｃ、カード型ＲＯＭ１０の電源Ｄ、パネルコントローラ１１の電源Ｅ、表示パネル１２の電源ＦをＯＦＦ状態で維持する。このＴ３タイミングからＴ４タイミングまでの制御をマイコン２の「低消費モード３」という。
【００２８】
次に、Ｔ４タイミングで、操作スイッチ７が操作され、表示パネル１２に表示される画像の書き換え指示がマイコン２に入力されると、フラッシュメモリ８の電源Ｂ、ＳＤＲＡＭ９の電源Ｃ及びカード型ＲＯＭ１０の電源ＤがＯＮとなり、カード型ＲＯＭ１０から画像データが読み出され、ＳＤＲＡＭ９に転送される。そして、Ｔ５タイミングで、カード型ＲＯＭ１０の電源ＤをＯＦＦにし、パネルコントローラ１１の電源Ｅ及び表示パネル１２の電源ＦをＯＮにして、表示パネル１２を駆動して、ＳＤＲＡＭ９に転送された画像データにより、表示パネル１２の表示を書き換える。このＴ４タイミングからＴ５タイミングまでの制御をマイコン２の「通常モード」という。
【００２９】
次いで、Ｔ６タイミングで、フラッシュメモリ８の電源Ｂ、ＳＤＲＡＭ９の電源Ｃ、パネルコントローラ１１の電源Ｅ、表示パネル１２の電源ＦをＯＦＦにする。即ち、マイコン２の電源Ａ以外を全てＯＦＦにする。このＴ５タイミングからＴ６タイミングまでの制御をマイコン２の「低消費モード１」という。
【００３０】
次いで、Ｔ６タイミングからＴ７タイミングまでは、マイコン２の電源Ａ以外のフラッシュメモリ８の電源Ｂ、ＳＤＲＡＭ９の電源Ｃ、カード型ＲＯＭ１０の電源Ｄ、パネルコントローラ１１の電源Ｅ、表示パネル１２の電源ＦをＯＦＦ状態で維持する。このＴ６タイミングからＴ７タイミングまでの制御をマイコン２の「低消費モード３」という。最後にＴ７タイミングで、バッテリ５がＯＦＦとなり、マイコン２の電源ＡがＯＦＦとなり、全ての電源供給が止まる。
【００３１】
次に、第二実施例として、図３に示す画像表示装置１のパワーマネージメントのシーケンス図に基づいて、画像表示装置１で、ＳＤＲＡＭ９に複数画像が保存される場合の上記各電源Ａ〜電源Ｆの制御について説明する。図３に示すように、まず、Ｔ０タイミングで、バッテリ５がＯＮされると、マイコン２の電源ＡがＯＮとなり、同時に、マイコン２の制御により、フラッシュメモリ８の電源Ｂ及びＳＤＲＡＭ９の電源ＣがＯＮとなる。従って、マイコン２は、フラッシュメモリ８に記憶された制御プログラムにアクセス可能となり、更に、ＳＤＲＡＭ９にもアクセス可能となるので、マイコンとして動作可能となる。
【００３２】
次いで、Ｔ１１タイミングで、操作スイッチ７が操作されて、表示パネル１２に表示される画像の書き換え指示がマイコン２に入力されると、カード型ＲＯＭ１０の電源ＤがＯＮとなり、カード型ＲＯＭ１０から画像データが読み出され、ＳＤＲＡＭ９に転送される。そして、Ｔ１２タイミングで、カード型ＲＯＭ１０の電源ＤをＯＦＦにし、パネルコントローラ１１の電源Ｅ及び表示パネル１２の電源ＦをＯＮにして、表示パネル１２を駆動して、ＳＤＲＡＭ９に転送された画像データにより、表示パネル１２の表示を書き換える。このＴ０タイミングからＴ１２タイミングまでの制御をマイコン２の「通常モード」という。
【００３３】
次いで、Ｔ１３タイミングで、パネルコントローラ１１の電源Ｅ、表示パネル１２の電源ＦをＯＦＦにし、カード型ＲＯＭ１０の電源ＤをＯＮにし、カード型ＲＯＭ１０から画像データが読み出され、ＳＤＲＡＭ９に転送される。このＴ１２タイミングからＴ１３タイミングまでの制御をマイコン２の「低消費モード１」という。そして、Ｔ１４タイミングで、フラッシュメモリ８の電源Ｂ及びカード型ＲＯＭ１０の電源ＤをＯＦＦにする。このＴ１３タイミングからＴ１４タイミングまでの制御もマイコン２の「通常モード」という。
【００３４】
次いで、Ｔ１４タイミングからＴ１５タイミングまでは、マイコン２の電源Ａ及びＳＤＲＡＭ９の電源Ｃ以外のフラッシュメモリ８の電源Ｂ、カード型ＲＯＭ１０の電源Ｄ、パネルコントローラ１１の電源Ｅ、表示パネル１２の電源ＦをＯＦＦ状態で維持する。従って、ＳＤＲＡＭ９には、次に表示パネル１２に表示される画像が保存された状態となっている。このＴ１４タイミングからＴ１５タイミングまでの制御をマイコン２の「低消費モード２」という。
【００３５】
次に、Ｔ１５タイミングで、操作スイッチ７が操作され、表示パネル１２に表示される画像の書き換え指示がマイコン２に入力されると、フラッシュメモリ８の電源Ｂ、パネルコントローラ１１の電源Ｅ及び表示パネル１２の電源ＦがＯＮとなり、表示パネル１２を駆動して、ＳＤＲＡＭ９に保存されている画像データにより、表示パネル１２の表示を書き換える。このＴ１５タイミングからＴ１６タイミングまでの制御をマイコン２の「低消費モード１」という。
【００３６】
次いで、Ｔ１６タイミングで、パネルコントローラ１１の電源Ｅ、表示パネル１２の電源ＦをＯＦＦにし、カード型ＲＯＭ１０の電源ＤをＯＮにし、カード型ＲＯＭ１０から画像データが読み出され、ＳＤＲＡＭ９に転送される。そして、Ｔ１７タイミングで、フラッシュメモリ８の電源Ｂ及びカード型ＲＯＭ１０の電源ＤをＯＦＦにする。このＴ１６タイミングからＴ１７タイミングまでの制御もマイコン２の「通常モード」という。
【００３７】
次いで、最後にＴ１８タイミングで、バッテリ５がＯＦＦとなり、マイコン２の電源Ａ及びＳＤＲＡＭ９の電源ＣがＯＦＦとなり、全ての電源供給が止まる。このＴ１７タイミングからＴ１８タイミングまでの制御はマイコン２の「低消費モード２」という。
【００３８】
次に、第三実施例として、図４に示す画像表示装置１のパワーマネージメントのシーケンス図に基づいて、画像表示装置１で、ＳＤＲＡＭ９に複数画像が保存される場合の上記各電源Ａ〜電源Ｆの制御について説明する。図４に示すように、まず、Ｔ０タイミングで、バッテリ５がＯＮされると、マイコン２の電源ＡがＯＮとなり、同時に、マイコン２の制御により、フラッシュメモリ８の電源Ｂ及びＳＤＲＡＭ９の電源ＣがＯＮとなる。従って、マイコン２は、フラッシュメモリ８に記憶された制御プログラムにアクセス可能となり、更に、ＳＤＲＡＭ９にもアクセス可能となるので、マイコンとして動作可能となる。
【００３９】
次いで、Ｔ２１タイミングで、操作スイッチ７が操作されて、表示パネル１２に表示される画像の書き換え指示がマイコン２に入力されると、カード型ＲＯＭ１０の電源ＤがＯＮとなり、カード型ＲＯＭ１０から画像データが読み出され、ＳＤＲＡＭ９に転送される。そして、Ｔ２２タイミングで、カード型ＲＯＭ１０の電源ＤをＯＦＦにし、パネルコントローラ１１の電源Ｅ及び表示パネル１２の電源ＦをＯＮにして、表示パネル１２を駆動して、ＳＤＲＡＭ９に転送された画像データにより、表示パネル１２の表示を書き換える。このＴ０タイミングからＴ２２タイミングまでの制御をマイコン２の「通常モード」という。
【００４０】
次いで、Ｔ２３タイミングで、パネルコントローラ１１の電源Ｅ、表示パネル１２の電源ＦをＯＦＦにし、カード型ＲＯＭ１０の電源ＤをＯＮにし、カード型ＲＯＭ１０から次の画像データが読み出され、ＳＤＲＡＭ９に転送される。このＴ２２タイミングからＴ２３タイミングまでの制御を「低消費モード１」という。そして、Ｔ２４タイミングで、フラッシュメモリ８の電源Ｂ及びカード型ＲＯＭ１０の電源ＤをＯＦＦにする。このＴ２３タイミングからＴ２４タイミングまでの制御もマイコン２の「通常モード」という。
【００４１】
次いで、Ｔ２４タイミングからＴ２５タイミングまでは、マイコン２の電源Ａ及びＳＤＲＡＭ９の電源Ｃ以外のフラッシュメモリ８の電源Ｂ、カード型ＲＯＭ１０の電源Ｄ、パネルコントローラ１１の電源Ｅ、表示パネル１２の電源ＦをＯＦＦ状態で維持する。従って、ＳＤＲＡＭ９には、次に表示パネル１２に表示される画像が保存された状態となっている。このＴ２４タイミングからＴ２５タイミングまでの制御をマイコン２の「低消費モード２」という。
【００４２】
次いで、Ｔ２５タイミングで、ＳＤＲＡＭ９の電源ＣがＯＦＦになり、ＳＤＲＡＭ９に記憶された次画像のデータは失われる。そして、Ｔ２５タイミングからＴ２６タイミングまでは、マイコン２の電源Ａ以外のフラッシュメモリ８の電源Ｂ、ＳＤＲＡＭ９の電源Ｃ、カード型ＲＯＭ１０の電源Ｄ、パネルコントローラ１１の電源Ｅ、表示パネル１２の電源ＦをＯＦＦ状態で維持する。このＴ２５タイミングからＴ２６タイミングまでの制御をマイコン２の「低消費モード３」という。
【００４３】
次に、Ｔ２６タイミングで、操作スイッチ７が操作され、表示パネル１２に表示される画像の書き換え指示がマイコン２に入力されると、フラッシュメモリ８の電源Ｂ、ＳＤＲＡＭ９の電源Ｃ、カード型ＲＯＭ１０の電源ＤをＯＮにし、カード型ＲＯＭ１０から次画像データが読み出され、ＳＤＲＡＭ９に転送される。このＴ２６タイミングからＴ２７タイミングまでの制御をマイコン２の「通常モード」という。
【００４４】
次いで、Ｔ２７タイミングで、カード型ＲＯＭ１０の電源ＤをＯＦＦにし、パネルコントローラ１１の電源Ｅ及び表示パネル１２の電源ＦをＯＮにして、表示パネル１２を駆動して、ＳＤＲＡＭ９に転送された画像データにより、表示パネル１２の表示を書き換える。このＴ２７タイミングからＴ２８タイミングまでの制御をマイコン２の「低消費モード１」という。
【００４５】
次いで、Ｔ２８タイミングで、パネルコントローラ１１の電源Ｅ、表示パネル１２の電源ＦをＯＦＦにし、カード型ＲＯＭ１０の電源ＤをＯＮにし、カード型ＲＯＭ１０から次画像データが読み出され、ＳＤＲＡＭ９に転送される。そして、Ｔ２９タイミングで、フラッシュメモリ８の電源Ｂ及びカード型ＲＯＭ１０の電源ＤをＯＦＦにする。このＴ２８タイミングからＴ２９タイミングまでの制御もマイコン２の「通常モード」という。
【００４６】
次いで、最後にＴ２９タイミング以後、マイコン２の電源Ａ及びＳＤＲＡＭ９の電源Ｃは、ＯＮとなっているので、ＳＤＲＡＭ９に次画像データが保存された状態となっている。このＴ２９タイミング以後をマイコン２の「低消費モード２」という。尚、マイコン２の動作モードにより、消費電力の大きさは、通常モード＞低消費モード１＞低消費モード２＞低消費モード３という順になっている。従って、低消費モード３が最も省エネであり、バッテリ５の使用可能時間を長くできる。
【００４７】
次に、図５及び図６を参照して、カード型ＲＯＭ１０の電源Ｄの制御について説明する。カード型ＲＯＭ１０は、一旦電源を切ると、次の読み出しの前に初期化が必要なため、複数の画像データを読み出す場合は、電源を切らずに連続して読み出した方が良い。従って、図５に示すように、Ｔ０タイミングで、カード型ＲＯＭ１０の電源ＤをＯＮし、Ｔ３１タイミングまでの間に、カード型ＲＯＭ１０の初期化を行う。次いで、Ｔ３１タイミングからＴ３２タイミングまでに、カード型ＲＯＭ１０から最初の１画像を読み出しＳＤＲＡＭ９に転送する。次で、Ｔ３２タイミングからＴ３３タイミングまでに、カード型ＲＯＭ１０から次の１画像を読み出し、ＳＤＲＡＭ９に転送する。従って、２画像の読み出しに係る時間は、Ｔ０タイミングからＴ３３タイミングまでとなる。
【００４８】
また、図６に示すように、Ｔ０タイミングで、カード型ＲＯＭ１０の電源ＤをＯＮし、Ｔ４１タイミングまでの間に、カード型ＲＯＭ１０の初期化を行う。次いで、Ｔ４１タイミングからＴ４２タイミングまでに、カード型ＲＯＭ１０から最初の１画像を読み出し、ＳＤＲＡＭ９に転送する。次に、Ｔ４２タイミングからＴ４３タイミングまでは、カード型ＲＯＭ１０の電源ＤをＯＦＦにする。次に、Ｔ４３タイミングからＴ４４タイミングまでは、カード型ＲＯＭ１０の初期化を行う。次いで、Ｔ４４タイミングからＴ４５タイミングまでに、カード型ＲＯＭ１０から次の１画像を読み出し、ＳＤＲＡＭ９に転送し、カード型ＲＯＭ１０の電源ＤをＯＦＦにする。従って、２画像の読み出しに係る時間は、Ｔ０タイミングからＴ４５タイミングまでとなる。
【００４９】
次に、図７に示すフローチャートを参照して、図４に示すシーケンス図の低消費モード２（Ｔ２４タイミングからＴ２５タイミングの画像保存の状態）でのＳＤＲＡＭ９での画像データの保存時間の判定処理（決定処理）について説明する。図７に示すフローチャートのプログラムは、フラッシュメモリ８に記憶されており、マイコン２により読み出されて実行される。まず、操作スイッチ７が操作されて画像書き換えの指示が有ると（Ｓ１：ＹＥＳ）、前回の操作スイッチ７が操作されて画像書き換えの指示がフラッシュメモリ８またはマイコン２の内蔵メモリ２０に記憶されているか否かを判断する（Ｓ２）。前回の操作スイッチ７が操作されて画像書き換えの指示がフラッシュメモリ８またはマイコン２の内蔵メモリ２０に記憶されている場合には（Ｓ２：ＹＥＳ）、今回の操作スイッチ７が操作されて画像書き換えの指示がされた時間から、前回の操作スイッチ７が操作されて画像書き換えの指示がされた時間を引いて、前回の操作スイッチ７の操作からの経過時間を求める（Ｓ３）。尚、操作スイッチ７が操作されて画像書き換えの指示がされる毎に、操作スイッチ７が操作されて画像書き換えの指示がされたことと、図１に示すマイコン２のタイマ３から取得された時間がフラッシュメモリ８またはマイコン２の内蔵メモリ２０に記憶される。尚、Ｓ３の処理を実行するマイコン２が、「経過時間取得手段」に相当する。
【００５０】
Ｓ３で求めた前回の操作スイッチ７が操作されてから今回の操作までの経過時間をフラッシュメモリ８またはマイコン２の内蔵メモリ２０に記憶する（Ｓ４）。次に、バッテリ５の残量をモニタする（Ｓ５）。バッテリ５の残量は、図１に示すマイコン２のＡ／Ｄコンバータ４がバッテリの電圧をデジタル値に変換してマイコン２に与えているので、その電圧値によりバッテリ５の残量が分かる。従って、Ａ／Ｄコンバータ４が、「電圧検出手段」に相当する。
【００５１】
バッテリ５の残量が、５０％以上有る場合に（Ｓ６：ＹＥＳ）、前回の操作スイッチ７の操作から経過時間が２秒以内の場合には（Ｓ７：ＹＥＳ）、ＳＤＲＡＭ９での画像保存時間は５秒に設定し（Ｓ８）、画像表示装置１の図示外のメイン制御にリターンする。この画像保存時間は、具体的には、図４に示すシーケンス図の低消費モード２（Ｔ２４タイミングからＴ２５タイミングの画像保存の状態）の時間である。また、バッテリ５の残量が、５０％以上有る場合に（Ｓ６：ＹＥＳ）、前回の操作スイッチ７の操作から経過時間が２秒より長い場合には（Ｓ７：ＮＯ）、低消費モード２でのＳＤＲＡＭ９での画像保存時間は１秒に設定し（Ｓ１０）、画像表示装置１の図示外のメイン制御にリターンする。さらに、バッテリ５の残量が、５０％未満、１０％以上の場合には（Ｓ６：ＮＯ、Ｓ９：ＹＥＳ）、低消費モード２でのＳＤＲＡＭ９での画像保存時間は１秒に設定する（Ｓ１０）。また、バッテリ５の残量が、１０％未満の場合には（Ｓ６：ＮＯ、Ｓ９：ＮＯ）、低消費モード２でのＳＤＲＡＭ９での画像保存時間は０秒（なし）に設定し（Ｓ１１）、画像表示装置１の図示外のメイン制御にリターンする。尚、Ｓ２で、ＮＯの場合には、Ｓ８に移行する。
【００５２】
次に、図８に示すフローチャートを参照して、カード型ＲＯＭ１０からＳＤＲＡＭ９への画像データの読み込み枚数の制御について説明する。この図８に示すフローチャートの処理は、過去の使用者の表示パネル１２の書き換え間隔と、バッテリ５の残量に基づいて、カード型ＲＯＭ１０から読み込みＳＤＲＡＭ９へ転送する画像データの枚数を制御して、バッテリ５の消耗を防止して、電池の使用可能時間を長くするものである。
【００５３】
図８に示すフローチャートのプログラムは、フラッシュメモリ８に記憶されており、マイコン２により読み出されて実行される。まず、操作スイッチ７が操作されて画像書き換えの指示が有ると（Ｓ２１：ＹＥＳ）、前回の操作スイッチ７が操作されて画像書き換えの指示がフラッシュメモリ８またはマイコン２の内蔵メモリ２０に記憶されているか否かを判断する（Ｓ２２）。前回の操作スイッチ７が操作されて画像書き換えの指示がフラッシュメモリ８またはマイコン２の内蔵メモリ２０に記憶されている場合には（Ｓ２２：ＹＥＳ）、今回の操作スイッチ７が操作されて画像書き換えの指示がされた時間から、前回の操作スイッチ７が操作されて画像書き換えの指示がされた時間を引いて、前回の操作スイッチ７の操作からの経過時間を求める（Ｓ２３）。このＳ２３の処理を実行するマイコン２が、「経過時間取得手段」に相当する。尚、操作スイッチ７が操作されて画像書き換えの指示がされる毎に、操作スイッチ７が操作されて画像書き換えの指示がされたことと、図１に示すマイコン２のタイマ３から取得された時間がフラッシュメモリ８またはマイコン２の内蔵メモリ２０に記憶される。
【００５４】
Ｓ２３で求めた前回の操作スイッチ７が操作されてから今回の操作までの経過時間をフラッシュメモリ８またはマイコン２の内蔵メモリ２０に記憶する（Ｓ２４）。次に、バッテリ５の残量をモニタする（Ｓ２５）。バッテリ５の残量は、図１に示すマイコン２のＡ／Ｄコンバータがバッテリの電圧をデジタル値に変換してマイコン２に与えているので、その電圧値によりバッテリ５の残量が分かる。
【００５５】
バッテリ５の残量が、５０％以上有る場合に（Ｓ２６：ＹＥＳ）、前回の操作スイッチ７の操作から経過時間が２秒以内の場合には（Ｓ２７：ＹＥＳ）、ＳＤＲＡＭ９（揮発性メモリ）での画像保存数の最大値を５に設定し（Ｓ２８）、ＳＤＲＡＭ９に画像保存が無い場合には（Ｓ２９：ＮＯ）、カード型ＲＯＭ１０からＳＤＲＡＭ９へ５画像分のデータを読み込み（Ｓ３０）、ＳＤＲＡＭ９に画像保存が有る場合には（Ｓ２９：ＹＥＳ）、カード型ＲＯＭ１０からＳＤＲＡＭ９へ画像データを読み込まず（Ｓ３１）、画像表示装置１の図示外のメイン制御にリターンする。
【００５６】
また、バッテリ５の残量が、５０％以上有る場合に（Ｓ２６：ＹＥＳ）、前回の操作スイッチ２７の操作から経過時間が２秒より長い場合には（Ｓ２７：ＮＯ）、ＳＤＲＡＭ９（揮発性メモリ）での画像保存数の最大値を２に設定し（Ｓ３３）、ＳＤＲＡＭ９に画像保存が無い場合には（Ｓ３４：ＮＯ）、カード型ＲＯＭ１０からＳＤＲＡＭ９へ２画像分のデータを読み込み（Ｓ３５）、ＳＤＲＡＭ９に画像保存が有る場合には（Ｓ３４：ＹＥＳ）、カード型ＲＯＭ１０からＳＤＲＡＭ９へ画像データを読み込まず（Ｓ３６）、画像表示装置１の図示外のメイン制御にリターンする。
【００５７】
さらに、バッテリ５の残量が、５０％未満、１０％以上の場合には（Ｓ２６：ＮＯ、Ｓ３２：ＹＥＳ）、ＳＤＲＡＭ９（揮発性メモリ）での画像保存数の最大値を２に設定し（Ｓ３３）、ＳＤＲＡＭ９に画像保存が無い場合には（Ｓ３４：ＮＯ）、カード型ＲＯＭ１０からＳＤＲＡＭ９へ２画像分のデータを読み込み（Ｓ３５）、ＳＤＲＡＭ９に画像保存が有る場合には（Ｓ３４：ＹＥＳ）、カード型ＲＯＭ１０からＳＤＲＡＭ９へ画像データを読み込まず（Ｓ３６）、画像表示装置１の図示外のメイン制御にリターンする。
【００５８】
また、バッテリ５の残量が、１０％未満の場合には（Ｓ２６：ＮＯ、Ｓ３２：ＮＯ）、ＳＤＲＡＭ９（揮発性メモリ）での画像保存数の最大値を１に設定し（Ｓ３７）、ＳＤＲＡＭ９に画像保存が無い場合には（Ｓ３８：ＮＯ）、カード型ＲＯＭ１０からＳＤＲＡＭ９へ１画像分のデータを読み込み（Ｓ３９）、ＳＤＲＡＭ９に画像保存が有る場合には（Ｓ３８：ＹＥＳ）、カード型ＲＯＭ１０からＳＤＲＡＭ９へ画像データを読み込まず（Ｓ４０）、画像表示装置１の図示外のメイン制御にリターンする。尚、Ｓ２２で、ＮＯの場合には、Ｓ３０に移行する。
【００５９】
以上説明したように、本実施例では、過去の使用者の表示パネル１２の書き換え間隔と、バッテリ５の残量に基づいて、カード型ＲＯＭ１０から読み込みＳＤＲＡＭ９へ転送する画像データの枚数を制御して、バッテリ５の消耗を防止して、電池の使用可能時間を長くすることができる。
【００６０】
次に、図９に示すフローチャートを参照して、カード型ＲＯＭ１０からＳＤＲＡＭ９への画像データの読み込み枚数の制御について説明する。この図９に示すフローチャートの処理は、画像表示装置１におけるモード設定に基づいて、カード型ＲＯＭ１０から読み込みＳＤＲＡＭ９へ転送する画像データの枚数を制御して、バッテリ５の消耗を防止して、電池の使用可能時間を長くするものである。具体的には、この例では、画像表示装置１で、電力消費が通常の普通モードと、当該普通モードより電力消費が少ない省エネモードとが設定できるようになっている。このモード設定は、操作スイッチ７により行われ、普通モードか省エネモードかは、フラッシュメモリ８またはマイコン２の内蔵メモリ２０に記憶されている。従って、操作スイッチ７が、「モード設定手段」に相当する。
【００６１】
また、図９に示すフローチャートのプログラムは、フラッシュメモリ８に記憶されており、マイコン２により読み出されて実行される。まず、操作スイッチ７が操作されて画像書き換えの指示が有ると（Ｓ４１：ＹＥＳ）、モード設定値は、普通モードか省エネモードかを判断する（Ｓ４２）。この判断は、フラッシュメモリ８またはマイコン２の内蔵メモリ２０に記憶されている設定モードで判断する。普通モードの場合には（Ｓ４２：ＹＥＳ）、ＳＤＲＡＭ９（揮発性メモリ）での画像保存数の最大値を５に設定し（Ｓ４３）、ＳＤＲＡＭ９に画像保存が無い場合には（Ｓ４４：ＮＯ）、カード型ＲＯＭ１０からＳＤＲＡＭ９へ５画像分のデータを読み込み（Ｓ４５）、ＳＤＲＡＭ９に画像保存が有る場合には（Ｓ４４：ＹＥＳ）、カード型ＲＯＭ１０からＳＤＲＡＭ９へ画像データを読み込まず（Ｓ４６）、画像表示装置１の図示外のメイン制御にリターンする。
【００６２】
また、省エネモードの場合には（Ｓ４２：ＮＯ）、ＳＤＲＡＭ９（揮発性メモリ）での画像保存数の最大値を１に設定し（Ｓ４７）、ＳＤＲＡＭ９に画像保存が無い場合には（Ｓ４８：ＮＯ）、カード型ＲＯＭ１０からＳＤＲＡＭ９へ１画像分のデータを読み込み（Ｓ４９）、ＳＤＲＡＭ９に画像保存が有る場合には（Ｓ４８：ＹＥＳ）、カード型ＲＯＭ１０からＳＤＲＡＭ９へ画像データを読み込まず（Ｓ５０）、画像表示装置１の図示外のメイン制御にリターンする。
【００６３】
以上説明したように、本実施例では、省エネモードの場合には、ＳＤＲＡＭ９への画像データの読み込み枚数を１枚にして、消費電力を節減して、バッテリ５の使用可能時間を長くすることができる。
【００６４】
次に、図１０に示すフローチャートを参照して、ＳＤＲＡＭ９での画像データの保存時間の制御について説明する。この図１０に示すフローチャートの処理は、画像表示装置１におけるモード設定に基づいて、カード型ＲＯＭ１０から読み込みＳＤＲＡＭ９へ転送した画像データの保存時間を制御して、バッテリ５の消耗を防止して、電池の使用可能時間を長くするものである。具体的には、この例では、画像表示装置１で、電力消費が通常の普通モードと、当該普通モードより電力消費が少ない省エネモードとが設定できるようになっている。このモード設定は、操作スイッチ７により行われ、普通モードか省エネモードかは、フラッシュメモリ８またはマイコン２の内蔵メモリ２０に記憶されている。
【００６５】
また、図１０に示すフローチャートのプログラムは、フラッシュメモリ８に記憶されており、マイコン２により読み出されて実行される。まず、操作スイッチ７が操作されて画像書き換えの指示が有ると（Ｓ６１：ＹＥＳ）、モード設定値は、普通モードか省エネモードかを判断する（Ｓ６２）。この判断は、フラッシュメモリ８またはマイコン２の内蔵メモリ２０に記憶されている設定モードで判断する。普通モードの場合には（Ｓ６２：ＹＥＳ）、例えば、図４の低消費モード２でのＳＤＲＡＭ９（揮発性メモリ）での画像保存時間を５秒に設定し（Ｓ６３）、画像表示装置１の図示外のメイン制御にリターンする。
【００６６】
また、省エネモードの場合には（Ｓ６２：ＮＯ）、例えば、図４の低消費モード２でのＳＤＲＡＭ９（揮発性メモリ）での画像保存時間を０秒（なし）に設定し（Ｓ６４）、画像表示装置１の図示外のメイン制御にリターンする。
【００６７】
以上説明したように、本実施例では、普通モードの場合には、例えば、図４の低消費モード２でのＳＤＲＡＭ９での画像保存時間を５秒に設定し、省エネモードの場合には、ＳＤＲＡＭ９での画像保存時間を０秒（なし）に設定するので、省エネモードの場合には、消費電力を節減して、バッテリ５の使用時間を長時間化できる。
【００６８】
尚、本発明は、上記実施の形態に限られず、各種の変形が可能である。例えば、画像表示装置は、必ずしも携帯性のものに限られず、電池や蓄電池で駆動されるものであれば、据え置き型のものでも良い。また、バッテリ５は、一次電池、二次電池の何れでも良い。さらに、表示パネル１２は、電源を切っても画像表示状態が維持されるものであれば、必ずしも電気泳動現象を利用して画像を表示するものに限られない。
【図面の簡単な説明】
【００６９】
【図１】一実施の形態の画像表示装置１の電気的構成を示すブロック図である。
【図２】画像表示装置１のパワーマネージメントのシーケンス図である。
【図３】画像表示装置１のパワーマネージメントのシーケンス図である。
【図４】画像表示装置１のパワーマネージメントのシーケンス図である。
【図５】カード型ＲＯＭ１０の電源Ｄのパワーマネージメントのシーケンス図である。
【図６】カード型ＲＯＭ１０の電源Ｄのパワーマネージメントのシーケンス図である。
【図７】低消費モード２でのＳＤＲＡＭ９での画像データの保存時間の判定処理のフローチャートである。
【図８】カード型ＲＯＭ１０からＳＤＲＡＭ９への画像データの読み込み枚数の制御のフローチャートである。
【図９】カード型ＲＯＭ１０からＳＤＲＡＭ９への画像データの読み込み枚数の制御のフローチャートである。
【図１０】ＳＤＲＡＭ９での画像データの保存時間の制御のフローチャートである。
【符号の説明】
【００７０】
１    画像表示装置
２    マイコン
３    タイマ
４    Ａ／Ｄコンバータ
５    バッテリ
６    ＤＣ−ＤＣコンバータ
７    操作スイッチ
８    フラッシュメモリ
９    ＳＤＲＡＭ
１０    カード型ＲＯＭ
１１    パネルコントローラ
１２    表示パネル
１３    パネル駆動電源生成部
１４，１５，１６，１７，１８  スイッチ
２０    内蔵メモリ
【図１】
2008083655.tif 000003
【図２】
2008083655.tif 000004
【図３】
2008083655.tif 000005
【図４】
2008083655.tif 000006
【図５】
2008083655.tif 000007
【図６】
2008083655.tif 000008
【図７】
2008083655.tif 000009
【図８】
2008083655.tif 000010
【図９】
2008083655.tif 000011
【図１０】
2008083655.tif 000012